(57)【特許請求の範囲】
【請求項１】
屋根上に設置される屋根上設置物を取付けるための枠体を支持固定する屋根における支持金具であって、
該支持金具の主体となす支持金具本体は、所望の板厚及び幅の板材から形成されるとともに、屋根を構築する下地材側に固定される基部と、該基部から上方に立ち上げて前記枠体側を支持固定する固定部とが一体的に曲折形成され、
前記基部は、その側縁部位を上方に曲折した上向きのフランジ片を立ち上げ形成し、
前記上向きのフランジ片は、基部の開放端側から固定部の立ち上げ側に至るにしたがってその立ち上げ形成高さを順次低く形成したことを特徴とする屋根における支持金具。
【請求項２】
請求項１の屋根における支持金具であって、
前記基部をクランク状に曲折形成するとともに、その曲折部位から上方に延在する上片部位は、幅方向の断面を円弧状に形成したことを特徴とする屋根における支持金具。
【請求項３】
請求項１又は請求項２の屋根における支持金具であって、
前記固定部に両側縁に横向きのフランジ片を立ち上げ形成したことを特徴とする屋根における支持金具。
【請求項４】
請求項１から請求項３のいずれか１項の屋根における支持金具であって、
前記基部をクランク状に曲折形成するとともに、その曲折部位から上方に延在する上片部位は、その先端側が下方に曲折形成され、上下に葺き重ねられる屋根部材のうちの下方側の屋根部材の尻部の上面に前記上片部位が位置し、上方側の屋根部材の頭部の下面に前記上片部位の先端側が位置するように用いられることを特徴とする屋根における支持金具。
【発明の詳細な説明】
【技術分野】
【０００１】
本発明は、屋根の上面側に設置される太陽光発電パネルや太陽熱の温水装置等（本明細書では、単に、屋根上設置物と称する。）を取付けるための例えば、縦桟及び横桟等を枠組みしたフレーム等（本明細書では、枠体と称する。）を支持固定する屋根における支持金具に関する。
【背景技術】
【０００２】
一般に、この種の支持金具にあっては、該金具の主体となす支持金具本体を、所望の板厚及び幅の板材から形成された扁平状の基部と、該基部から上方に曲折して立ち上げた固定部とが一体的に形成され、前記基部を屋根の下地材側に固定するとともに、前記固定部に縦桟及び横桟等を枠組みした枠体側を支持固定するように構成されている。（例えば、特許文献１参照）
【特許文献１】特開２００３−２３９４８２号公報
【発明の開示】
【発明が解決しようとする課題】
【０００３】
しかしながら、上記した支持金具にあっては、基部の一方端部から固定部を立ち上げて形成し、この固定部により枠体を支持固定するものであるため、該基部には、相当の荷重が作用することになり、その部位の強度の確保が必要不可欠なものであり、その補強対策として、単に該基部の板厚をその必要強度に対応して厚くすることも考えられるが、該支持金具における屋根部材の取付け状態、例えば、上下に葺き重ねられる屋根部材の間に固定される構造の取付け状態を考慮するとき、徒に板厚を厚くすることができなかった。
そこで、本発明は、支持部材を構成する板材自体の板厚を厚くすることなく、その基部における必要な強度を確保することができる屋根における支持金具を提供することにある。
【課題を解決するための手段】
【０００４】
上記した課題は、各請求項記載の発明によって解決される。
請求項１記載の発明は、屋根上に設置される屋根上設置物を取付けるための枠体を支持固定する屋根における支持金具であって、該支持金具の主体となす支持金具本体は、所望の板厚及び幅の板材から形成されるとともに、屋根を構築する下地材側に固定される基部と、該基部から上方に立ち上げて前記枠体側を支持固定する固定部とが一体的に曲折形成され、前記基部は、その側縁部位を上方に曲折した上向きのフランジ片を立ち上げ形成し、前記上向きのフランジ片は、基部の開放端側から固定部の立ち上げ側に至るにしたがってその立ち上げ形成高さを順次低く形成したことを要旨とする。
【０００５】
この発明にあっては、支持金具を構成する支持金具本体における基部を、その板材の板厚寸法を変えることなく、該基部の強度を増大することができ、支持金具全体の強度を増大するとともに、屋根を構築する下地材側に対する取付け（固定）強度を確保することができ、更に、屋根を構築する下地材側に対する取付け（固定）強度を確保することができる。
【０００６】
請求項２記載の発明は、請求項１記載の屋根における支持金具であって、
前記基部をクランク状に曲折形成するとともに、その曲折部位から上方に延在する上片部位は、幅方向の断面を円弧状に形成したことを要旨とする。
【０００７】
この発明にあっては、基部の上片部の変形強度をその断面形状における簡単な構造によって強化することができる。
【０００８】
請求項３記載の発明は、請求項１又は請求項２の屋根における支持金具であって、前記固定部に両側縁に横向きのフランジ片を立ち上げ形成したことを要旨とする。
【０００９】
この発明にあっては、基部から立ち上げられた固定部の変形強度をそのフランジ片による簡単な構造によって強化することができる。
【００１０】
請求項４記載の発明は、請求項１から請求項３のいずれか一項の屋根における支持金具であって、前記基部をクランク状に曲折形成するとともに、その曲折部位から上方に延在する上片部位は、その先端側が下方に曲折形成され、上下に葺き重ねられる屋根部材のうちの下方側の屋根部材の尻部の上面に前記上片部位が位置し、上方側の屋根部材の頭部の下面に前記上片部位の先端側が位置するように用いられることを要旨とする。
【００１１】
この発明は、基部の上片部位が上方に曲折形成されると共に、更に上片部位の先端側が下方に曲折形成されているため、屋根部材の尻部に水返しが形成された屋根部材の葺き重ね状態に何ら支障を及ぼすことなく対応することができる。
【発明の効果】
【００１２】
請求項１の発明にあっては、支持金具を構成する支持金具本体における基部を、その板材の板厚寸法を変えることなく、該基部の強度を増大することができ、支持金具全体の強度を増大するとともに、屋根を構築する下地材側に対する取付け（固定）強度を確保することができる。
【００１３】
請求項２の発明にあっては、基部の上片部位の変形強度を強化することができ、基部の強度を高めて支持金具全体の強度を増大することができる。
【００１４】
請求項３の発明にあっては、基部から立ち上げられた固定部の変形強度を強化することができ、支持金具全体の強度を増大することができる。
【００１５】
請求項４の発明にあっては、基部の上片部位を上方に曲折形成すると共に、更に上片部位の先端側を下方に曲折形成することにより、屋根部材の尻部に水返しが形成された屋根部材の葺き重ね状態に何ら支障を及ぼすことなく対応することができる。
【発明を実施するための最良の形態】
【００１６】
次に、本発明を実施するための最良の形態について、実施例にしたがって説明する。
【実施例】
【００１７】
図１〜図８に示すように、屋根上に設置される屋根上設置物、例えば、太陽光発電パネルや、太陽熱温水パネル等を取付けるための縦方向及び横方向の枠体からなる一方側の枠体Ｙを支持固定する支持金具１は、全体として所望の板厚及び幅の板材から形成される支持金具本体２を主体として構成されている。この支持金具本体２は、屋根を構築する下地材Ｗ側に固定されるほぼクランク状に曲折形成された基部３と、該基部３の一方端部から起立部４ａを上方に曲折して立ち上げ、さらに該起立部４ａ上端から基部３の上方にほぼ平行状に対向するように一体的に曲形形成された水平部４ｂを備えかつ該水平部４ｂにて前記枠体Ｙ側を支持固定する固定部４とから構成されている。
【００１８】
前記基部３は、前記固定部４における起立部４ａ付近を残してその板材の板厚寸法Ｔ１より全体の厚さ寸法Ｔ２を厚く設定するように、その幅方向の横断面形状が所望の連続する凹凸形状に一体的に曲折形成されている。
【００１９】
前記固定部４における水平部４ｂには例えば、枠体Ｙを固止する取付けボルトＢを挿通する長孔状の取付け孔５が形成されている。
【００２０】
また、前記固定部４における水平部４ｂの幅方向の下面から上面にわたって長さ方向へのスライド可能に横架された落下防止片６が装設されている。すなわち、この落下防止片６は、図５及び図６に示すよう、断面ほぼ上向きＣ形状に形成されて、該水平部４ｂの自由端から嵌挿されて前記取付け孔５の下方を覆蓋するように装設され、取付け孔５に対して下方（基部３側）から挿通された前記取付けボルトＢが該取付け孔５から下方に抜脱しないようにその挿通状態が予め保持されているものである。
【００２１】
なお、この落下防止片６は、図７（ａ）（ｂ）に示すように、固定部４における水平部４ｂの下面にその自由端側から取付け孔５に沿って取付けボルトＢの頭部が位置される空所を形成する形状の落下防止片６Ａとして固定部４における水平部４ｂの下面に固設する構成、または、取付け孔５に下方（基部３側）から挿通された取付けボルトＢの軸部を該水平部４ｂの上面において該取付け孔５をまたがって位置されて係止するＥリング、ゴム等の座金等からなる落下防止片６Ｂとして構成することができる。
【００２２】
上記のように構成された支持金具１は、図１に示すように、上下に葺き重ねられる屋根部材Ｗ１、Ｗ２の間において、その所定の部位に対し、支持金具本体２の基部３が屋根の野地板等の下地材Ｗに対し支持板Ｗ３を介して該基部３に形成される取付け孔７〜７等を介して釘等の固定手段により固定されるものである。
【００２３】
この場合、基部３は、上方に重ねて葺上げられる屋根部材Ｗ１と下地材Ｗとの空間部内に位置されるとともに、固定部の起立部４ａ側の基部３の一部が下方に位置する屋根部材Ｗ２の尻部上面に位置されている。
また、固定部４の起立部４ａ付近の上面部、すなわち、基部３の横断面が凹凸状態ではない扁平状板厚のままの断面形状部位には、前記上方に重ねて葺上げられる屋根部材Ｗ１の頭部が位置されるものであり、これにより、屋根の流れ方向における上下に葺き重ねられる屋根部材Ｗ１、Ｗ２どうしの葺き重ね状態に支障を及ぼすことがない。
【００２４】
そして、支持金具本体２の固定部４は、その水平部４ｂが上方に重ねて葺上げられる屋根部材Ｗ１の頭部側の上方に位置されており、この水平部４ｂの取付け孔５に挿通されている取付けボルトＢにより所定の金具を介して枠体Ｙを固止するものである。
【００２５】
このようにして、支持金具１の基部３を屋根に固定するとともに、その固定部４に枠体Ｙを固止することができ、該基部３は、固定部４における起立部４ａ付近を残してその板材の板厚寸法Ｔ１より全体の厚さ寸法Ｔ２を厚く設定するように、その幅方向の横断面形状が所望の連続する凹凸形状に一体的に曲折形成された構成とすることにより、簡単な構造にも拘わらず、支持金具１を構成する支持金具本体２における基部３を、その板材の板厚寸法を変えることなく、全体の厚さ寸法を厚くすることができるので、該基部３の強度を増大することができ、支持金具１全体の強度を増大するとともに、屋根を構築する下地材Ｗ側に対する取付け（固定）強度を確保することができる。
【００２６】
そして、本実施例にあっては、前記固定部４における水平部４ｂの幅方向の下面から上面にわたって長さ方向へのスライド可能に横架された落下防止片６が装設されているので、取付け孔５に下方（基部３側）から挿通された取付けボルトＢが該取付け孔５から下方に抜脱しないようにその挿通状態を予め保持することができ、その固定部４に対する枠体Ｙの固止作業に際して、取付けボルトＢを取付け孔５にその都度、いちいち挿通する作業を省くことができ、その作業並びに部品管理をきわめて容易にすることができる。
【００２７】
また、図５及び図６に示すように、取付け孔５に下方から取付けボルトＢを挿通した状態において、落下防止手段６を固定部４における水平部４ｂに対し、その自由端側からスライド可能に嵌挿するものであるから、一度、取付け孔５に挿通した取付けボルトＢを種々寸法が異なる異種のものに選択して取替えが可能で、固定部４に対する枠体の固定作業における作業性の良化向上を図ることができる。
【００２８】
本実施例においては、図８に示すように、支持金具１における基部３に、その側縁部位を上方に曲折した上向きのフランジ片１０を立ち上げ形成し、このフランジ片１０を、基部３の開放端側から固定部４の立ち上げ側に至るにしたがってその立ち上げ形成高さを順次低く形成することにより、簡単な構造にも拘わらず、支持金具１を構成する支持金具本体２における基部３を、その板材の板厚寸法を変えることなく、そのフランジ片１０によって、該基部３の強度を増大することができ、支持金具１全体の強度を増大するとともに、屋根を構築する下地材Ｗ側に対する取付け（固定）強度を確保することができる。
【００２９】
また、図９〜図１１に示す別例の支持金具１は、前記した図８に示す支持金具１の基部３の形状を変形したものであり、図１０に示すように、支持金具１の基部３おけるほぼクランク状に曲折形成された斜状部位を、前記した図８に示す支持金具１の場合より長く形成、すなわち、起立部４ａを立ち上げる上片部位２ａを屋根の下地材Ｗ側に固定される下片部位３ａより高く形成するとともに、該上片部位２ａの先端側（前記起立部４ａを立ち上げる端部側）を若干下方にほぼＬ字状に曲折形成したもので、その余の構成は前記した図８に示す支持金具１と同様であるので図中同一の符号を付してその説明を省略する。
【００３０】
したがって、この場合は、基部３おけるほぼクランク状に曲折形成された斜状部位を、前記した図８に示す支持金具１の場合より長く形成、すなわち、起立部４ａを立ち上げる上片部位２ａを屋根の下地材Ｗ側に固定される下片部位３ａより高く形成してあるため、図１１に示すように、屋根部材Ｗ１の尻部における高い寸法の水返しが形成された屋根部材Ｗ１、Ｗ２の葺き重ね状態に何ら支障を及ぼすことなく対応することができる。
そして、上片部位２ａの先端側を若干下方に曲折形成することにより、図１１に示すように、支持金具１の基部３における上片部位２ａを屋根部材Ｗ２の上面に確実に対応することができる。
【００３１】
次に、図１２〜図１５に示す別の実施例の支持金具１は、前記した図８に示す支持金具１の基部３の形状を変形したものであり、図１２、図１３、図１４に示すように、支持金具１におけるクランク状に曲折形成された基部３おいて、その曲折部位から上方に延在する上片部位２ａの幅方向の断面形状を下向きに湾曲する円弧状に形成されている。
そして、この円弧状の部位１２は該上片部位２ａに形成されたフランジ片１０の形成長さに対応する長さ部位形成されており、さらに、この上片部位２ａと固定部４の起立部４ａとの隅角部には該起立部４ａの立ち上げ強度を補強するリブ１３、１３が２箇所形出されているものであり、その余の構成は前記した図８に示す支持金具１と同様であるので図中同一の符号を付してその説明を省略する。
【００３２】
したがって、この場合は、基部３の上片部２ａの断面形状を下向きに湾曲する円弧状に形成することによって簡単な構造にも拘わらず、その上片部２ａの変形強度を強化することができ、該基部３の強度を高めて支持金具１全体の強度を増大することができる。
【００３３】
なお、上述した上片部２ａにおける幅方向の断面形状を下向きに湾曲する円弧状としたが、これに変え、上向きに湾曲する円弧状とすることも可能である。
【００３４】
さらに、図１６〜図１８に示すさらなる別の実施例の支持金具１は、前記した図１２に示す支持金具１の固定部４の形状を変形したものであり、図１６〜図１８に示すように、固定部４における水平部４ｂを排除して起立部４ａのみの構成とし、該起立部４ａに枠体を固止する取付けボルトを挿通する長孔状の取付け孔５が形成されるとともに、その両側縁に沿って横向き（後方向き）のフランジ片１４、１４が一体状に立ち上げ形成されたものであり、その余の構成は前記した図１２に示す支持具１と同様であるので図中同一の符号を付してその説明を省略する。
【００３５】
したがって、この場合は、固定部４の起立部４ａに形成されたフランジ片１４、１４によって簡単な構造にも拘わらず、その固定部４における起立部４ａの変形強度を強化することができ、該支持金具１全体の強度を増大することができる。
【００３６】
なお、この場合、起立部４ａには枠体を固止する取付けボルトを挿通する長孔状の取付け孔５が形成されるものであるから、枠体を固止するに際しては例えば、Ｌ状の取付け金具（図示しない）を取付け孔５に挿通されるボルトにより該起立４ａに取付け、このＬ状の取付け金具に枠体を固止するものである。
【００３７】
また、上述したフランジ片１４、１４を起立部４ａの後方向きに形成したが、前方向きに形成することも可能である。
【図面の簡単な説明】
【００３８】
【図１】本発明の一実施例の形態に係る施工状態を示す側断面図である。
【図２】本例支持金具を示す平面図である。
【図３】同じく側面図である。
【図４】図２のＡ−Ａ線断面図である。
【図５】落下防止片を示す側断面図である。
【図６】同じく正面面である。
【図７】（ａ）（ｂ）は、落下防止片を示す側断面図である。
【図８】支持金具の別例を示す斜視図である。
【図９】支持金具の別例を示す平面図である。
【図１０】同じく側面図である。
【図１１】同じく施工状態を示す側断面図である。
【図１２】支持金具の別の実施例を示す斜視図である。
【図１３】同じく側断面図である。
【図１４】図１２のＢ−Ｂ線断面図である。
【図１５】同じく施工状態を示す側断面図である。
【図１６】支持金具のさらなる別の実施例を示す斜視図である。
【図１７】同じく側断面図である。
【図１８】図１６のＣ−Ｃ線断面図である。
【符号の説明】
【００３９】
１  支持金具
２  支持金具本体
３  基部
４  固定部
１０  １４  フランジ片
Ｗ  下地材
Ｗ１  Ｗ２  屋根部材
【図１】
0004772435.tif 000002
【図２】
0004772435.tif 000003
【図３】
0004772435.tif 000004
【図４】
0004772435.tif 000005
【図５】
0004772435.tif 000006
【図６】
0004772435.tif 000007
【図７】
0004772435.tif 000008
【図８】
0004772435.tif 000009
【図９】
0004772435.tif 000010
【図１０】
0004772435.tif 000011
【図１１】
0004772435.tif 000012
【図１２】
0004772435.tif 000013
【図１３】
0004772435.tif 000014
【図１４】
0004772435.tif 000015
【図１５】
0004772435.tif 000016
【図１６】
0004772435.tif 000017
【図１７】
0004772435.tif 000018
【図１８】
0004772435.tif 000019